(57)【要約】【課題】走査レンズの光学特性の劣化を招くことなく小型化を図ることができる光走査装置を提供することに。【解決手段】レーザー光源（光源）２５と、コリメータレンズ２６と、シリンドリカルレンズ２８と、該シリンドリカルレンズ２８によって副走査方向にのみ集光された光束Ｌを偏向するＭＥＭＳミラー（偏向器）２９と、該ＭＥＭＳミラー２９によって偏向された光束Ｌ１を感光ドラム（被走査面）２ａ（２ｂ〜２ｄ）上に結像させる走査レンズ３０を備えた光走査装置１３において、主走査方向に負のパワーを持つ回折格子が形成された平行平板３１を前記走査レンズ３０と前記感光ドラム２ａ（２ｂ〜２ｄ）との間に配置する。又、前記平行平板３１に形成された回折格子は副走査方向に正のパワーを持つものとし、前記ＭＥＭＳミラー２９から前記感光ドラム２ａ（２ｂ〜２ｄ）までの副走査倍率を１以下に設定する。【選択図】図２
2011137919.tif 000002
【特許請求の範囲】
【請求項１】
光源と、該光源から出射される光束を略平行光に変化させるコリメータレンズと、副走査方向にのみ曲率を持ったシリンドリカルレンズと、該シリンドリカルレンズによって副走査方向にのみ集光された光束を偏向する偏向器と、該偏向器によって偏向された光束を被走査面上に結像させる走査レンズを備えた光走査装置において、
主走査方向に負のパワーを持つ回折格子が形成された平行平板を前記走査レンズと前記被走査面との間に配置したことを特徴とする走査装置。
【請求項２】
前記平行平板に形成された回折格子は副走査方向に正のパワーを持ち、且つ、前記偏向器から前記被走査面までの副走査倍率が１以下に設定されていることを特徴とする請求項１記載の光走査装置。
【請求項３】
前記平行平板は、防塵ガラスを兼ねることを特徴とする請求項１又は２記載の光走査装置。
【請求項４】
前記平行平板の偏向器側の面に前記回折格子を形成したことを特徴とする請求項３記載の光走査装置。
【請求項５】
請求項１〜４の何れかに記載の光走査装置を備えることを特徴とする画像形成装置。
【発明の詳細な説明】
【技術分野】
【０００１】
本発明は、被走査面を光走査するための光走査装置とこれを備えた複写機やプリンタ等の画像形成装置に関するものである。
【背景技術】
【０００２】
複写機やプリンタ等の画像形成装置においては、帯電器によって表面が一様に帯電された像担持体が光走査装置によって光走査され、その表面に画像情報に応じた静電潜像が形成される。そして、静電潜像は現像装置によって現像剤であるトナーを用いて現像されてトナー像として顕像化され、このトナー像は、転写装置によって用紙上に転写された後に定着装置によって加熱及び加圧されて用紙上に定着され、トナー像が定着された用紙が装置外へ排出されることによって一連の画像形成動作が終了する。
【０００３】
ところで、像担持体を光走査してその表面に静電潜像を形成する光走査装置は、光源と、該光源から出射される光束を略平行光に変化させるコリメータレンズと、副走査方向にのみ曲率を持ったシリンドリカルレンズと、該シリンドリカルレンズによって副走査方向にのみ集光された光束を偏向する偏向器と、該偏向器によって偏向された光束を被走査面上に結像させる走査レンズを含んで構成されている。
【０００４】
斯かる光走査装置に関して、例えば特許文献１には、半導体レーザーから出射した光束をコリメータレンズによって平行光とした後、この平行光を正弦振動する共振鏡（光偏向素子）によって偏向し、この偏向された光束をアークサイン特性を有する走査レンズによって感光ドラム上に集光させて該感光体を等速で光走査する構成が提案されている。
【０００５】
又、特許文献２には、偏向器として正弦振動する共振鏡を使用し、レンズ１枚で構成される走査レンズの光軸付近でのパワーを主走査断面内では負、副走査断面内では正とすることによって、所望の走査幅を得るのに必要な共振鏡から感光体表面までの距離を短縮して装置を小型化するようにした構成が提案されている。
【先行技術文献】
【特許文献】
【０００６】
【特許文献１】特開平９−０３３８４３号公報
【特許文献２】特開２００６−２２７０４４号公報
【発明の概要】
【発明が解決しようとする課題】
【０００７】
ところで、特許文献１，２に記載された発明に使用されている共振鏡は、従来のポリゴンミラーに比して小型であるというメリットを有している反面、その偏向角が小さいため、所望の走査幅を得るには走査レンズの焦点距離をポリゴンミラーを使用した場合のそれよりも長くせざるを得ず、装置が大型化するという問題がある。
【０００８】
即ち、特許文献１において提案された構成では、走査レンズは１枚であり、このような場合には走査レンズのパワーは正とならざるを得ず、偏向角が小さな共振鏡を使用すると、所望の走査幅を得るためには共振鏡から感光体魔での距離が大きくなり、装置が大型化してしまう。
【０００９】
又、特許文献２において提案された構成では、収束光を正弦振動する共振鏡で偏向させ、偏向後の光束を主走査断面内でのパワーが負である走査レンズで感光体上に結像させることによって装置の小型化を達成しようとしているが、光路長を短くしようとすればする程、走査レンズの偏肉量が大きくなってしまう。つまり、アークサインレンズの特性によって所望の走査幅を得ようとすると、走査領域の外側位置における補正量が大きくなるため、主走査断面内でのパワーが負である走査レンズを用いると、該走査レンズの中心と端部の厚みの差が大きくなってしまう。
【００１０】
上述のように走査レンズの偏肉量が大きくなると、該走査レンズの成型及び所望の光学性能の確保が難しくなる。即ち、プラスチックレンズは、溶融した原料を金型に流し込んだ後に冷却して固化させることによって成型されるが、レンズの偏肉量が大きいと、冷却時間が長くなったり、レンズ内部に残留応力による歪みが発生するために光学特性の劣化を招く。
【００１１】
本発明は上記問題に鑑みてなされたもので、その目的とする処は、走査レンズの光学特性の劣化を招くことなく小型化を図ることができる光走査装置とこれを備えた画像形成装置を提供することにある。
【課題を解決するための手段】
【００１２】
上記目的を達成するため、請求項１記載の発明は、光源と、該光源から出射される光束を略平行光に変化させるコリメータレンズと、副走査方向にのみ曲率を持ったシリンドリカルレンズと、該シリンドリカルレンズによって副走査方向にのみ集光された光束を偏向する偏向器と、該偏向器によって偏向された光束を被走査面上に結像させる走査レンズを備えた光走査装置において、主走査方向に負のパワーを持つ回折格子が形成された平行平板を前記走査レンズと前記被走査面との間に配置したことを特徴とする。
【００１３】
請求項２記載の発明は、請求項１記載の発明において、前記平行平板に形成された回折格子は副走査方向に正のパワーを持ち、且つ、前記偏向器から前記被走査面までの副走査倍率が１以下に設定されていることを特徴とする。
【００１４】
請求項３記載の発明は、請求項１又は２記載の発明において、前記平行平板は、防塵ガラスを兼ねることを特徴とする。
【００１５】
請求項４記載の発明は、請求項３記載の発明において、前記平行平板の偏向器側の面に前記回折格子を形成したことを特徴とする。
【００１６】
請求項５記載の画像形成装置は、請求項１〜４の何れかに記載の光走査装置を備えることを特徴とする。
【発明の効果】
【００１７】
請求項１記載の発明によれば、主走査方向に負のパワーを持つ回折格子が形成された平行平板を走査レンズと被走査面との間に配置したため、被走査面上に所望の走査幅を確保するために必要な偏向器から被走査面までの距離を負のパワーを持つ走査レンズを使用した場合のそれよりも短くすることができ、当該光走査装置の小型化を図ることができる。
【００１８】
又、主走査方向に負のパワーを持つ回折格子が形成された平行平板を用いることによって走査レンズとして主走査方向に正のパワーを持つレンズを使用することができるため、光路長を短縮しても走査レンズの偏肉量を小さく抑えることができ、成型後の残留応力による歪み等に起因する該走査レンズの光学特性の劣化を防ぐことができる。
【００１９】
請求項２記載の発明によれば、平行平板に形成された回折格子は副走査方向に正のパワーを持ち、且つ、偏向器から被走査面までの副走査倍率が１以下に設定されているため、偏向器から被走査面までの距離が短縮されて当該光走査装置の小型化が図られる。
【００２０】
請求項３記載の発明によれば、平行平板を防塵ガラスとしても機能させるようにしたため、各種レンズや偏向器等の光学部品への埃や粉塵等の付着を防ぐことができ、該光学部品が高い光学性能を安定的に発揮することができる。又、専用の防塵ガラスが不要となるため、部品点数が削減されて装置の小型化とコストダウンが図られる。
【００２１】
請求項４記載の発明によれば、防塵ガラスを兼ねる平行平板の偏向器側の面（防塵ガラスによって遮蔽される密閉空間を形成する面）に回折格子を形成したため、該回折格子の埃や粉塵等の付着による汚れが防がれ、該回折格子の安定した機能が保障される。
【００２２】
請求項５記載の発明によれば、光走査装置の小型化と走査レンズの光学特性の劣化防止が図られるため、画像形成装置の小型化が図られるとともに、高質画像を安定的に得ることができる。
【図面の簡単な説明】
【００２３】
【図１】本発明に係る画像形成装置（カラーレーザープリンタ）の側断面図である。
【図２】本発明に係る光走査装置要部の主走査断面図である。
【発明を実施するための形態】
【００２４】
以下に本発明の実施の形態を添付図面に基づいて説明する。
【００２５】
［画像形成装置］
図１は本発明に係る画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２６】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００２７】
ここで、前記感光ドラム２ａ〜２ｄは、ドラム状の感光体であって、不図示の駆動モータによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２８】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２９】
又、前記転写ローラ５ａ〜５ｄは、各一次転写部にて中間転写ベルト７を介して各感光ドラム２ａ〜２ｄに当接可能に配置されている。ここで、中間転写ベルト７は、駆動ローラ８とテンションローラ９との間に張設されて各感光ドラム２ａ〜２ｄの上面側に走行可能に配置されており、前記駆動ローラ８は、二次転写部において中間転写ベルト７を介して二次転写ローラ１０に当接可能に配置されている。又、テンションローラ９の近傍にはベルトクリーニング装置１１が設けられている。
【００３０】
ところで、プリンタ本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００３１】
又、プリンタ本体１００内の各画像形成ユニット１Ｍ，１Ｃ，１Ｙ，１Ｋの下方には、各画像形成ユニット１Ｍ，１Ｃ，１Ｙ，１Ｋに対応して本発明に係る計４つの光走査装置１３がそれぞれ配置され、これらの下方のプリンタ本体１００の底部には給紙カセット１４が着脱可能に設置されている。そして、給紙カセット１４には複数枚の不図示の用紙が積層収容されており、この給紙カセット１４の近傍には、該給紙カセット１４から用紙を取り出すピックアップローラ１５と、取り出された用紙を分離して搬送パスＳへと１枚ずつ送り出すフィードローラ１６とリタードローラ１７が設けられている。
【００３２】
又、プリンタ本体１００の側部を上下方向に延びる前記搬送パスＳには、用紙を搬送する搬送ローラ対１８と、用紙を一時待機させた後に所定のタイミングで前記二次転写対向ローラ８と二次転写ローラ１０との当接部である二次転写部へと供給するレジストローラ対１９が設けられている。尚、搬送パスＳの横には、用紙の両面に画像を形成する場合に使用される別の搬送パスＳ’が形成されており、この搬送パスＳ’には複数の反転ローラ対２０が適当な間隔で設けられている。
【００３３】
ところで、プリンタ本体１００内の一側部に縦方向に配置された前記搬送パスＳは、プリンタ本体１００の上面に設けられた排紙トレイ２１まで延びており、その途中には定着装置２２と排紙ローラ対２３，２４が設けられている。
【００３４】
次に、以上の構成を有するカラーレーザープリンタによる画像形成動作について説明する。
【００３５】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、各光走査装置１３は、各色毎のカラー画像信号によって変調された光ビームを出射し、その光ビームを各感光ドラム２ａ〜２ｄの表面に照射し、各感光ドラム２ａ〜２ｄ上に各色のカラー画像信号に対応した静電潜像をそれぞれ形成する。
【００３６】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７上に一次転写される。
【００３７】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３８】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３９】
そして、中間転写ベルト７上のフルカラートナー像の先端が駆動ローラ８と二次転写ローラ１０間の二次転写部（転写ニップ部）に達するタイミングに合わせて、給紙カセット１４からピックアップローラ１５とフィードローラ１６及びリタードローラ１７によって搬送パスＳへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００４０】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３，２４によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００４１】
［光走査装置］
次に、本発明に係る前記光走査装置１３を図２に基づいて説明する。尚、４つの光走査装置１３の構成と作用は全て同じであるため、以下、１つの光走査装置１３についてのみ説明する。
【００４２】
図２は本発明に係る光走査装置要部の主走査断面図であり、図示の光走査装置１３は、レーザー光源（レーザーダイオード）２５を備えており、該レーザー光源２５からの光束Ｌの出射方向には、光束Ｌを略平行光に変化させるコリメータレンズ２６と、該コリメータレンズ２６を通過した光束Ｌを所定の径に絞るアパーチャー２７と、副走査方向にのみ曲率を持ったシリンドリカルレンズ２８と、該シリンドリカルレンズ２８によって副走査方向にのみ集光された光束Ｌを偏向する偏向器としてのＭＥＭＳミラー２９が配設されている。
【００４３】
ここで、上記ＭＥＭＳミラー２９は、Ｓｉ基板にエッチングや成膜等のマイクロマシニング技術（ＭＥＭＳ技術）を利用して得られるものであって、これに交流電源から交流電圧が印加されると、静電引力によって往復振動（正弦振動）する。尚、ＭＥＭＳミラー２９の駆動周波数は共振周波数に設定されており、これによってＭＥＭＳミラー２９の振幅（偏向角）が拡大される。
【００４４】
又、前記ＭＥＭＳミラー２９の偏向方向中心線上には、ＭＥＭＳミラー２９によって偏向された光束Ｌ１を被走査面である感光ドラム２ａ（２ｂ〜２ｄ）上に結像させる走査レンズ３０が配置されており、この走査レンズ３０の近傍であって、走査レンズ３０と感光ドラム２ａ（２ｂ〜２ｄ）との間には、主走査方向に負のパワーを持つ回折格子が形成された平行平板３１が配置されている。尚、前述のようにＭＥＭＳミラー２９は正弦振動するため、走査端部である偏向角が大きい箇所ではその回転速度が遅くなる。このため、走査レンズ３０には、端部で走査速度が大きくなるアークサイン特性を有するレンズが使用されている。
【００４５】
ここで、上記平行平板３１に形成された回折格子は副走査方向に正のパワーを持っており、又、ＭＥＭＳミラー２９から感光ドラム２ａ（２ｂ〜２ｄ）までの副走査倍率は１以下に設定されている。又、本実施の形態では、平行平板は、ＭＥＭＳミラー２９や走査レンズ３０等を収容する密閉空間を画成する防塵ガラスを兼ねており、そのＭＥＭＳミラー２９側の面に回折格子が形成されている。
【００４６】
以上のように構成された光走査装置１３において、レーザー光源２５が画像データに応じてＯＮ／ＯＦＦ制御されると、該レーザー光源２５から画像データに対応して変調された光束Ｌが出射され、該光束Ｌは、コリメータレンズ２６によって略平行なコリメート光に整形された後、アパーチャー２７を通過することによって適当な大きさの平行光とされ、副走査方向にのみパワーを有するシリンドリカルレンズ２８に入射される。そして、シリンドリカルレンズ２８を通過した光束Ｌは、ＭＥＭＳミラー２９に入射されて結像される。
【００４７】
ＭＥＭＳミラー２９に入射した光束Ｌは、前述のようにＭＥＭＳミラー２９が正弦振動することによって主走査方向に走査され、走査レンズ３０と平行平板３１を通過することによって各画像形成ユニット１Ｍ（１Ｃ，１Ｙ，１Ｋ）の感光ドラム２ａ（２ｂ〜２ｄ）上に結像され、感光ドラム２ａ（２ｂ〜２ｄ）上を走査線に沿って露光走査し、各感光ドラム２ａ（２ｂ〜２ｄ）上に書く画像情報に応じた静電潜像を形成する。
【００４８】
而して、本実施の形態では、主走査方向に負のパワーを持つ回折格子が形成された平行平板３１を走査レンズ３０と感光ドラム２ａ（２ｂ〜２ｄ）との間に配置したため、感光ドラム２ａ（２ｂ〜２ｄ）上に所望の走査幅を確保するために必要なＭＥＭＳミラー２９から感光ドラム２ａ（２ｂ〜２ｄ）までの距離を負のパワーを持つ走査レンズを使用した場合のそれよりも短くすることができ、当該光走査装置１３の小型化を図ることができる。
【００４９】
又、主走査方向に負のパワーを持つ回折格子が形成された平行平板３１を用いることによって走査レンズ３０として主走査方向に正のパワーを持つレンズを使用することができるため、光路長を短縮しても走査レンズ３０の偏肉量を小さく抑えることができ、成型後の残留応力による歪み等に起因する該走査レンズ３０の光学特性の劣化を防ぐことができ、図１に示すカラーレーザープリンタにおいて高質なカラー画像を安定的に得ることができる。
【００５０】
そして、本実施の形態では、平行平板３０に形成された回折格子は副走査方向に正のパワーを持ち、且つ、ＭＥＭＳミラー２９から感光ドラム２ａ（２ｂ〜２ｄ）までの副走査倍率が１以下に設定されているため、ＭＥＭＳミラー２９から感光ドラム２ａ（２ｂ〜２ｄ）までの距離が短縮されて当該光走査装置１３の小型化が図られる。
【００５１】
又、本実施の形態では、平行平板３１を防塵ガラスとしても機能させるようにしたため、ＭＥＭＳミラー２９や走査レンズ３０等の光学部品への埃や粉塵等の付着を防ぐことができ、該光学部品が高い光学性能を安定的に発揮することができる。又、専用の防塵ガラスが不要となるため、部品点数が削減されて装置の小型化とコストダウンが図られる。
【００５２】
更に、本実施の形態では、防塵ガラスを兼ねる平行平板３１のＭＥＭＳミラー２９側の面（防塵ガラスによって遮蔽される密閉空間を形成する面）に回折格子を形成したため、該回折格子の埃や粉塵等の付着による汚れが防がれ、該回折格子の安定した機能が保障される。
【００５３】
尚、以上の実施の形態では、偏向器としてＭＥＭＳミラーを使用した例について説明したが、偏向器としてはポリゴンミラーやガルバノミラー等の他の形式のものを使用しても良い。又、以上は本発明をカラーレーザープリンタとこれに備えられた光走査装置に対して適用した形態について説明したが、本発明は、モノクロプリンタや複写機等を含む他の任意の画像形成装置及びこれに備えられた光走査装置に対しても同様に適用可能であることは勿論である。
【符号の説明】
【００５４】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（被走査面）
３ａ〜３ｄ      帯電器
４ａ〜４ｄ      現像装置
５ａ〜５ｄ      転写ローラ
６ａ〜６ｄ      ドラムクリーニング装置
７              中間転写ベルト
８              駆動ローラ
９              テンションローラ
１０            二次転写ローラ
１１            ベルトクリーニング装置
１２ａ〜１２ｄ  トナーコンテナ
１３            光走査装置
１４            給紙カセット
１５            ピックアップローラ
１６            フィードローラ
１７            リタードローラ
１８            搬送ローラ対
１９            レジストローラ対
２０            搬送ローラ対
２１            排紙トレイ
２２            定着装置
２３，２４      排紙ローラ対
２５            レーザー光源（光源）
２６            コリメータレンズ
２７            アパーチャー
２８            シリンドリカルレンズ
２９            ＭＥＭＳミラー（偏向器）
３０            走査レンズ
３１            平行平板
Ｌ，Ｌ１        光束
Ｓ，Ｓ’        搬送パス
【図１】
2011137919.tif 000003
【図２】
2011137919.tif 000004